(57)【特許請求の範囲】
【請求項１】
光源からの色光を調光するカラーフィルタの選定を支援するカラーフィルタ選定支援方法であって、
予め記憶されているカラーフィルタの種類ごとの透過率Ｔ（λ）と、光源の分光分布データＳ（λ）とから各カラーフィルタの透過色の色度及び輝度を有する予測透過色情報を算出し、算出された予測透過色情報と要求透過色情報とを照合し、前記要求透過色情報に近い前記予測透過色情報を有するカラーフィルタの種類を特定することを特徴とするカラーフィルタ選定支援方法。
【請求項２】
前記予測透過色情報は前記光源からの色光が前記カラーフィルタを透過した場合の透過色の予測色度座標（ｘ，ｙ）、予測輝度Ｙからなり、前記要求透過色情報は要求色度座標（ｘω，ｙω）、要求輝度Ｙωからなることを特徴とする請求項１記載のカラーフィルタ選定支援方法。
【請求項３】
前記透過率Ｔ（λ）は、各種類のカラーフィルタのサンプルに対して実測して得られることを特徴とする請求項１又は２記載のカラーフィルタ選定支援方法。
【請求項４】
前記算出された予測透過色情報を要求透過色情報と共に表示することを特徴とする請求項１〜３のいずれかに記載のカラーフィルタ選定支援方法。
【請求項５】
前記分光分布データＳ（λ）が、前記光源を覆うための半透明部材を透過して得られるデータであることを特徴とする請求項１〜４のいずれかに記載のカラーフィルタ選定支援方法。
【請求項６】
光源からの色光を調光するカラーフィルタの選定を支援するカラーフィルタ選定支援装置であって、
光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段とを備えることを特徴とするカラーフィルタ選定支援装置。
【請求項７】
前記予測透過色情報は前記光源からの色光が前記カラーフィルタを透過した場合の透過色の予測色度座標（ｘ，ｙ）、予測輝度Ｙからなり、前記要求透過色情報は要求色度座標（ｘω，ｙω）、要求輝度Ｙωからなることを特徴とする請求項６記載のカラーフィルタ選定支援装置。
【請求項８】
前記透過率Ｔ（λ）は、各種類のカラーフィルタのサンプルに対して実測して得られることを特徴とする請求項６又は７記載のカラーフィルタ選定支援装置。
【請求項９】
前記演算手段によって算出された予測透過色情報を要求透過色情報と共に表示する表示手段を備えることを特徴とする請求項６〜８のいずれかに記載のカラーフィルタ選定支援装置。
【請求項１０】
光源からの色光を調光するカラーフィルタの選定を支援させるカラーフィルタ選定支援プログラムであって、
コンピュータを、光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段として機能させることを特徴とするカラーフィルタ選定支援プログラム。
【請求項１１】
光源からの色光を調光するカラーフィルタの選定を支援させるカラーフィルタ選定支援プログラムを記録したコンピュータ読み取り可能な記録媒体であって、
コンピュータを、光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段として機能させることを特徴とするカラーフィルタ選定支援プログラムを記録したコンピュータ読み取り可能な記録媒体。
【発明の詳細な説明】
【０００１】
【発明の属する技術分野】
本発明は、光源からの色光を調光するカラーフィルタの選定を支援するカラーフィルタ選定支援方法、カラーフィルタ選定支援装置、カラーフィルタ選定支援プログラム及びカラーフィルタ選定支援プログラムを記録したコンピュータ読み取り可能な記録媒体に関するものである。
【０００２】
【従来の技術】
従来、オーディオ機器や自動車のメーター等の機器に組み込まれる小型の白熱電球（以下電球とする）などの光源に対して、着色剤等で着色したシリコーンゴムなどの透光性を有するカラーフィルタを被せることによって光源の透過色を変化させ、所望する色光を得るものが知られている。
【０００３】
また、光源は、機器により使用されている電球の種類が違うため、発光色が異なる場合があったり、光源が同じでも機器の導光設計や部材の違いにより、光源の透過色が変化する場合があるため、電球毎、機器毎に調色する必要があり、顧客（ユーザ、クライアント）が要求する色調の透過色を実現するためのカラーフィルタを選出する場合、顧客より光源である電球を入手し、実際にカラーフィルタを装着して、透過色を実測することで要求される色調を満たすカラーフィルタを選定している。
【０００４】
【発明が解決しようとする課題】
しかしながら、上記従来の方法は、使用する光源や、実装機器を入手するまでに輸送日数がかかり、例えば海外の顧客の場合は４〜５日を要している。入手後も要求される色調に合致するカラーフィルタの選出が試行錯誤的であることから、時間がかかるという問題があった。
【０００５】
また、新機種の実装機器については、デザインの秘密漏洩防止から機器を入手できない場合があり、カラーフィルタの選定に数ヶ月を要する場合もあった。
【０００６】
さらに、電球が、機器内に組み込まれている場合、その機器を入手した後、分解し、カラーフィルタを付け替え、再び組み立てて点灯させることによって、透過色を測定し、要求色調に合致しているか否かを判断しなければならず、作業効率の悪いものであった。
【０００７】
また、各カラーフィルタの標準サンプルを準備しておき、そのうちから顧客の要求を満たす色調を実現するカラーフィルタを選定する場合、長時間の使用によって標準サンプルが経時変化したり、汚れたりする等の不具合が生じるため標準サンプルを再度製造しなければならないという非効率的な一面があった。
【０００８】
本発明は、上記従来の問題を解決するもので、実際に光源を入手することなく、顧客が所望する色調を実現するカラーフィルタを準備した中から効率的且つ迅速に選定し得るカラーフィルタ選定支援方法、カラーフィルタ選定支援装置、カラーフィルタ選定支援プログラム及びカラーフィルタ選定支援プログラムを記録したコンピュータ読み取り可能な記録媒体を提供することを目的とする。
【０００９】
【課題を解決するための手段】
請求項１に記載の発明は、光源からの色光を調光するカラーフィルタの選定を支援するカラーフィルタ選定支援方法であって、予め記憶されているカラーフィルタの種類ごとの透過率Ｔ（λ）と、光源の分光分布データＳ（λ）とから各カラーフィルタの透過色の色度及び輝度を有する予測透過色情報を算出し、算出された予測透過色情報と要求透過色情報とを照合し、前記要求透過色情報に近い前記予測透過色情報を有するカラーフィルタの種類を特定することを特徴としている。
【００１０】
請求項６に記載の発明は、光源からの色光を調光するカラーフィルタの選定を支援するカラーフィルタ選定支援装置であって、光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段とを備えることを特徴としている。
【００１１】
請求項１０に記載の発明は、光源からの色光を調光するカラーフィルタの選定を支援させるカラーフィルタ選定支援プログラムであって、コンピュータを、光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段として機能させることを特徴としている。
【００１２】
請求項１１に記載の発明は、光源からの色光を調光するカラーフィルタの選定を支援させるカラーフィルタ選定支援プログラムを記録したコンピュータ読み取り可能な記録媒体であって、コンピュータを、光源の分光分布データＳ（λ）と要求透過色情報とを受信する受信手段と、予め記憶手段に記憶しているカラーフィルタの種類ごとの透過率Ｔ（λ）と前記受信した分光分布データＳ（λ）とから各カラーフィルタの透過色の色度及び輝度を有する予測透過色情報を算出する演算手段と、該演算手段によって算出された予測透過色情報と前記要求透過色情報とを照合し、前記要求透過色情報に近い前記予測透過色情報を有するカラーフィルタの種類を特定する特定手段として機能させることを特徴としている。
【００１３】
これらの構成によれば、製品の標準色となる全てのカラーフィルタに関して透過率Ｔ（λ）を測定し、それぞれのカラーフィルタの種類ごとに透過率Ｔ（λ）を予め記憶しておく。そして、特定の発光体の分光分布データＳ（λ）及び要求透過色情報を例えば電子メールなどでインターネットを介して受信すると、該分光分布データＳ（λ）と予め記憶しているカラーフィルタの透過率Ｔ（λ）とから各カラーフィルタの透過色の色度及び輝度を有する予測透過色情報が算出される。算出された予測透過色情報と前記受信した要求透過色情報とが照合され、前記要求透過色情報に近い予測透過色情報を有するカラーフィルタの種類が特定される。この特定されたカラーフィルタに関する情報（各種配合添加物及び着色剤の混合比等）を顧客に対して提示すると共に、このカラーフィルタに関する情報に基づいて製造し、製品として予め製造してある場合はカラーフィルタの現物を送付するなどする。このようにして、現実に光源を入手する必要がないため、迅速にカラーフィルタを選定することが可能となり、分光分布データＳ（λ）及び要求透過色情報が顧客から提示されることで顧客が所望する透過色の色調を満たすカラーフィルタを効率的に選定することが可能となる。
【００１４】
請求項２に記載の発明は、前記予測透過色情報は前記光源からの色光が前記カラーフィルタを透過した場合の透過色の予測色度座標（ｘ，ｙ）、予測輝度Ｙからなり、前記要求透過色情報は要求色度座標（ｘω，ｙω）、要求輝度Ｙωからなることを特徴としている。
【００１５】
請求項７に記載の発明は、前記予測透過色情報は前記光源からの色光が前記カラーフィルタを透過した場合の透過色の予測色度座標（ｘ，ｙ）、予測輝度Ｙからなり、前記要求透過色情報は要求色度座標（ｘω，ｙω）、要求輝度Ｙωからなることを特徴としている。
【００１６】
これらの構成によれば、予測透過色情報は分光分布データＳ（λ）及び透過率Ｔ（λ）によって算出される予測色度座標（ｘ，ｙ）、予測輝度Ｙからなる情報であり、要求透過色情報は顧客が所望する透過色の要求色度座標（ｘω，ｙω）、要求輝度Ｙωからなる情報である。つまり、予測色度座標（ｘ，ｙ）、予測輝度Ｙの２つの情報に関して要求色度座標（ｘω，ｙω）、要求輝度Ｙωとの照合が行われるため、より正確に顧客が所望する透過色を満たすカラーフィルタを選定することが可能となる。
【００１７】
請求項３に記載の発明は、前記透過率Ｔ（λ）は、各種類のカラーフィルタのサンプルに対して実測して得られることを特徴としている。
【００１８】
請求項８に記載の発明は、前記透過率Ｔ（λ）は、各種類のカラーフィルタのサンプルに対して実測して得られることを特徴としている。
【００１９】
これらの構成によれば、製造可能な全てのカラーフィルタに対して予め透過率Ｔ（λ）を実測し、データとして記憶しておくことによって、各種類のカラーフィルタの予測透過色情報を算出することが可能となり、顧客が所望する透過色を満たすカラーフィルタを特定することが可能となる。
【００２０】
請求項４に記載の発明は、前記算出された予測透過色情報を要求透過色情報と共に表示することを特徴としている。
【００２１】
請求項９に記載の発明は、前記演算手段によって算出された予測透過色情報を要求透過色情報と共に表示する表示手段を備えることを特徴としている。
【００２２】
これらの構成によれば、予測透過色情報が要求透過色情報と共に例えばグラフで表示されるようになるため、カラーフィルタの選定結果が視認可能となり、カラーフィルタの選定結果を容易に確認することが可能となる。また、この表示されるグラフをインターネットなどを介して顧客に送信することによってカラーフィルタの選定結果を容易且つ迅速に報知することが可能となる。
【００２３】
請求項５に記載の発明は、前記分光分布データＳ（λ）が、前記光源を覆うための半透明部材を透過して得られるデータであることを特徴としている。
【００２４】
この構成によれば、例えば光源が使用される機器内に実装されている場合、分光分布データＳ（λ）が、光源を覆うための半透明部材を透過して得られる光に関するデータであるため、機器を分解し、光源にカラーフィルタを被覆させて再び組み立て直し、透過色を測定するといった手間を省略することが可能となるため作業効率が向上し、容易且つ迅速にカラーフィルタを選定することができるようになる。
【００２５】
【発明の実施の形態】
図２（ａ）は、本カラーフィルタ選定支援装置を用いて選定されるカラーフィルタ１４を備える発光体１２の一例を示す斜視図であり、図２（ｂ）は、その分解斜視図である。図において、発光体１０は、球型乃至は砲弾型の外形を有する白熱電球１２と、この白熱電球１２を被覆する透光性を有するカラーフィルタ１４とから構成されている。
【００２６】
白熱電球１２は、フィラメント支持体１２１，１２２に支持されたフィラメント１２３をガラス製の被覆体により覆ってなる球状乃至は砲弾形状を有する発光部１２４と、フィラメント支持体１２１，１２２の各端部が引き出されて形成された電極部１２５とを備えている。
【００２７】
カラーフィルタ１４は、基端に開口１４１を有し、先端に底部１４２を有する発光部１２４の外形と同一の形状を有する厚さが略均一なカラーフィルタ構造で、所定の色彩を有する透光性のシリコーンゴムにより形成されている。カラーフィルタ１４の内面の周方向には、放熱用の通気路を確保するためにそれぞれ軸心方向に延設された複数本（本実施形態では８つ）の突条１４４を必要に応じて有する。この突条１４４によって発光部１２４から発生する熱が直接カラーフィルタ１４に伝達されないため、カラーフィルタ１４の退色や弾性の劣化などの特性変化が抑制され、カラーフィルタ１４の長寿命化を図ることができる。
【００２８】
また、突条１４４は必ずしも必要ではなく、白熱電球１２にカラーフィルタ１４を直接被覆してもかまわない。
【００２９】
カラーフィルタ１４は、例えば、透明や半透明の透光性を有する成形原料であるシリコーンゴムに加硫剤や充填剤などの各種配合添加剤及び着色剤を混合して素練りや混練り等を行って可塑性を有するようにした組成物を雌金型と雄金型とにより圧縮成形し、この圧縮成形した状態で加熱硬化させることにより得ることができる。
【００３０】
図１は本発明に係るカラーフィルタ選定支援装置の一実施形態における制御構成を示すブロック図である。図１において、カラーフィルタ選定支援装置１はコンピュータで構成されており、ＣＰＵ（Central Processing Unit：中央演算処理装置）２、ＲＯＭ（Read Only Memory）３、ＲＡＭ（Random Access Memory）４、オペレータが各種操作指令を行うための入力部５及び表示画面を持つ表示部６を備えると共に、外部と通信可能なデータ通信手段としての送受信部７を有している。
【００３１】
ＲＯＭ３は、各部の基本的な動作を行わせる動作制御プログラムの他に、本発明に適用されるカラーフィルタ１４の選定を支援するカラーフィルタ選定支援プログラムを記憶すると共に、透過率データ記憶部３１に製造可能な全てのカラーフィルタ１４の透過率Ｔ（λ）をテーブルデータとして記憶している。
【００３２】
表１は、透過率データ記憶部３１の記憶内容の一例を示すもので、あるカラーフィルタ１４の透過率Ｔ（λ）に関するデータである。表１に示す透過率Ｔ（λ）は予めデータ取り用として作成したサンプルを実測することによって得られたカラーフィルタ１４の透過率Ｔ（λ）を波長３８０〜７８０ｎｍ（可視波長域）に対応付けて表したものである。なお、等色関数ｘ（λ），ｙ（λ），ｚ（λ）は波長３８０〜７８０ｎｍに対応する規定値である。なお、本実施形態において、透過率Ｔ（λ）及び等色関数ｘ（λ），ｙ（λ），ｚ（λ）は波長間隔１０ｎｍで対応付けられているが、本発明はこれに限らず、例えば波長間隔を５ｎｍにするなど他の好適な波長間隔でも採用可能である。Ｓ（λ）は、送受信部７で受信される光源の分光分布データＳ（λ）の一例を示している。なお、透過率データ記憶部３１は記憶手段として機能するものである。
【００３３】
【表１】
0004709438.tif 000002
【００３４】
なお、ＲＯＭ３としては、予めプログラムがインストールされた内蔵式のＲＯＭの他、フロッピーディスク、ＣＤ−ＲＯＭ、ＤＶＤ―ＲＯＭ等の各種データが記録された記録媒体でも採用可能である。この場合、記録媒体に記録されたカラーフィルタ選定支援プログラムは、記録媒体ドライブ（図示省略）で読み出され、読み込まれる。
【００３５】
ＲＡＭ４は、ＣＰＵ２による処理途中のデータを一時的に記憶するためのものである。入力部５はキーボードやマウス、さらにはポインティングデバイス（タッチパネル）などで構成されており、必要なデータの入力やＣＰＵ２に対する種々の動作をオペレータから指令するためのものである。
【００３６】
表示部６は、液晶表示装置やＣＲＴ表示装置などから構成され、オペレータの入力データや入力指令内容を確認的に表示すると共に、前記カラーフィルタ選定支援プログラムに基づく処理によって得られた結果を適宜表示するものである。
【００３７】
また、本実施形態においては必要に応じてプリンタを備え、得られた処理結果をプリンタに印字出力するようにしてもよい。
【００３８】
送受信部７は、公衆電話回線（有線および無線）やファクシミリの他、専用回線やインターネットなどのネットワーク（電子メール含む）を介してデータ通信を可能とするものである。なお、送受信部７はＣＰＵ２から制御されるものに限定されず、個別の指示に応答して動作するものでもよい。また、本装置に通信機能（通信モデム等）を内蔵させ、得られた結果を直接（あるいはオペレータによる送信指示を受けて）顧客に送信するようにしてもよい。
【００３９】
ＣＰＵ２は、各部に対する動作を統括的に制御するものであり、演算部２１、検索部２２を備える。
【００４０】
演算部２１は、入力された発光体１２の分光分布データＳ（λ）を読み込んで、数１〜数５により各カラーフィルタ１４の透過色の予測透過色情報（予測色度座標（ｘ，ｙ）、予測輝度Ｙ）を順次算出するものである。すなわち、顧客から提示される光源の分光分布データＳ（λ）を表１に示すＳ（λ）に当て嵌めることによって数１〜数３に示す積分式を利用して三刺激値Ｘ，Ｙ，Ｚのそれぞれの値を算出する。算出された三刺激値Ｘ，Ｙ，Ｚの値を基に、数４、数５を利用して予測色度座標（ｘ，ｙ）が算出される。なお、予測輝度Ｙは三刺激値のＹの値で算出される。なお、演算部２１は演算手段として機能するものである。
【００４１】
【数１】
0004709438.tif 000003
【００４２】
【数２】
0004709438.tif 000004
【００４３】
【数３】
0004709438.tif 000005
【００４４】
【数４】
0004709438.tif 000006
【００４５】
【数５】
0004709438.tif 000007
【００４６】
ただし、Ｘ，Ｙ，Ｚは三刺激値であり、ｘ，ｙは予測色度座標であり、Ｓ（λ）は光源の分光波長の強度であり、ｘ（λ）、ｙ（λ）、ｚ（λ）はそれぞれＪＩＳ  Ｚ  ８７０１にある規定値であり、Ｔ（λ）はカラーフィルタ１４の透過率である。なお、ここでは便宜上ｋ＝６８３の定数として計算する。
【００４７】
検索部２２は、顧客によって提示された要求透過色情報（要求色度座標（ｘω，ｙω）、要求輝度Ｙω）と前記演算部２１によって算出された予測透過色情報（ｘ，ｙ）、Ｙとを照合し、要求透過色情報（ｘω，ｙω）、Ｙωに近似する予測透過色情報（ｘ，ｙ）、Ｙを有するカラーフィルタ１４を特定するものである。つまり透過率データ記憶部３１は、予め製造可能な全てのカラーフィルタ１４について透過率Ｔ（λ）を測定しておくことによって演算用あるいは検索用のデータとして記憶しておくものである。なお、検索部２２は特定手段として機能するものである。
【００４８】
図３は図１のカラーフィルタ選定支援装置における動作の一例を示すフローチャートである。まず、被覆対象となる白熱電球（光源）について、分光分布データＳ（λ）及び要求透過色情報（ｘω，ｙω）、Ｙωが外部（顧客）の通信端末から送受信部７を介してデータ入力され、あるいは、データ入手がファクシミリや電話からの音声によるときは入力部６を介してのオペレータによるデータ入力待ち状態とされる（Ｓ１）。分光分布データＳ（λ）及び所望の要求透過色情報（ｘω，ｙω）、Ｙωの入力があると（Ｓ１でＹＥＳ）、入力情報は一旦ＲＡＭ４に記憶され、透過率データ記憶部３１に記憶されている透過率Ｔ（λ）と前記分光分布データＳ（λ）とを基に全てのカラーフィルタ１４に対する透過色の予測透過色情報（ｘ，ｙ）、Ｙの算出が演算部２１によって行われる（Ｓ３）。
【００４９】
続いて、算出された予測透過色情報（ｘ，ｙ）、Ｙと要求透過色情報（ｘω，ｙω）、Ｙωとの照合処理が検索部２２によって実行される（Ｓ５）。この照合処理は、まず、予測透過色情報（ｘ，ｙ）、Ｙと要求透過色情報（ｘω，ｙω）、Ｙωとの色度・輝度同士の完全一致（所定の桁まで）が存在するか否かを検索し（Ｓ７）、完全一致した場合には当該色度・輝度に対応する透過率Ｔ（λ）のカラーフィルタ１４が特定される（Ｓ９）。一方、完全一致しない場合には（Ｓ７でＮＯ）、要求透過色情報（ｘω，ｙω）、Ｙωに最も近い予測透過色情報（ｘ，ｙ）、Ｙを検索し（Ｓ１１）、検索した予測透過色情報（ｘ，ｙ）、Ｙに対応する透過率Ｔ（λ）のカラーフィルタ１４が特定される（Ｓ１３）。この最も近い予測透過色情報（ｘ，ｙ）、Ｙの検索は、例えば対応する透過色情報間の差の合計が最小となるものを、あるいは他の好適な手法を採用して特定すればよい。
【００５０】
また、上記照合処理は、全てのカラーフィルタ１４に対する予測透過色情報（ｘ，ｙ）、Ｙを算出した後、要求透過色情報（ｘω，ｙω）、Ｙωと照合する場合と、１つのカラーフィルタ１４に対して予測透過色情報（ｘ，ｙ）、Ｙを算出する毎に要求透過色情報（ｘω，ｙω）、Ｙωと照合し、より近似するものがＲＡＭ４に一時保存され、全てのカラーフィルタ１４に関して順次算出、照合が繰り返され、最終的にＲＡＭ４に保存されているカラーフィルタ１４を特定する場合とを適宜採用することが可能である。近似の判断は、各値の差分の総和が小さいものの他、ｘ，ｙの差分の和が小さいものでもよい。また、ｘ，ｙとＹとの各差分に重み係数を乗じて差分の和で判断してもよい。または、ｘ，ｙとＹとにそれぞれ差の閾値を設定し、その中から和が最小値となるものとしてもよい。
【００５１】
その後、特定されたカラーフィルタ１４に関する情報（製品番号、透過率、各種配合添加物及び着色剤の配合比等の各種データ）により、特定したカラーフィルタ１４を作成し、顧客先へ送付し、顧客先の承認を得る。
【００５２】
また、特定されたカラーフィルタ１４と近似色サンプルを数点作成し、顧客へ送付し、顧客先で選定し承認を得る。
【００５３】
以上の構成により、顧客が要求する透過色を実現するカラーフィルタ１４を自動的、かつ迅速に光源の現物を入手することなく効率的に選定することができる。また、各カラーフィルタ１４の標準サンプルを準備しておく必要がなくなり、効率的にカラーフィルタ１４を選定することができる。
【００５４】
ここで、本発明の方法による色度・輝度の予測値と実測した色度・輝度の値とに差がないことを具体的に検証する。
【００５５】
まず、カラーフィルタ１４として朝日ラバー社製ブルーフィルタを使用し、光源として東芝ライテック社製電球Ｍ−１５８を用いた。この光源を１２Ｖで点灯させ、所定距離をおいて発光波長分光放射輝度計（ＰＲ−７０４  Photo  Research社製）で色度及び輝度を測定した。
【００５６】
一方、光源の分光分布データＳ（λ）、カラーフィルタ１４の透過率Ｔ（λ）及び等色関数ｘ（λ），ｙ（λ），ｚ（λ）を数１〜数３に代入して三刺激値Ｘ，Ｙ，Ｚを求める。さらに、三刺激値Ｘ，Ｙ，Ｚを数４、数５に代入して予測色度座標（ｘ，ｙ）、予測輝度Ｙを算出した。
【００５７】
表２は、上記計算によって求められた透過色の色度・輝度の予測値と実測値とを示したものである。表２に示すように、数１〜数５を用いて算出された予測色度（ｘ，ｙ）と実測色度との差は殆どなく、予測輝度Ｙと実測輝度との差も殆どなかった。つまり、色度座標の予測値と実測値とはｘ値及びｙ値共に０．００１程度のオーダであり、一方、人間の目で色度が識別できるオーダが色度座標上で０．０１以上であるから、予測値と実測値との差は目視で識別不能である。
【００５８】
【表２】
0004709438.tif 000008
【００５９】
また、上記カラーフィルタ１４の透過率Ｔ（λ）は同一で、電圧５Ｖ、通電電流７５ｍＡで点灯させた場合、表３のような予測色度座標が得られ、上記と同様に予測色度座標（ｘ，ｙ）と実測色度座標とには殆ど差がなく、予測輝度Ｙと実測輝度との差も殆どなかった。
【００６０】
【表３】
0004709438.tif 000009
【００６１】
したがって、予測透過色情報から色度座標及び輝度の実測値を十分に予測することが可能であり、予測透過色情報を実測値とみなして要求透過色情報と照合することが可能であることが判った。
【００６２】
また、本実施形態においては、顧客の希望する要求色度座標（ｘω，ｙω）と、光源の分光分布データＳ（λ）とカラーフィルタ１４の透過率Ｔ（λ）とを基にして算出された予測色度座標（ｘ，ｙ）とをグラフとして表示部６に表示することが可能である。
【００６３】
上記機能を実現するために、ＣＰＵ２は作表処理部２３と、データ表示制御部２４とを備える。
【００６４】
作表処理部２３は、要求色度座標（ｘω，ｙω）と予測色度座標（ｘ，ｙ）とを図４に示すようなグラフ上にデータとして展開して、例えばＲＡＭ４内の表示用バッファに一時的に書き込むものである。
【００６５】
データ表示制御部２４は、作表処理部２３によって表示用バッファに書き込まれた表を表示部６に表示するよう制御するものである。なお、データ表示制御部２４は表示手段として機能するものである。
【００６６】
図４は、本実施形態においてカラーフィルタの選定結果として表示部６に表示される画面図の一例である。
【００６７】
図４の色度座標Ａは顧客が要求する要求色度座標（ｘω，ｙω）を示しており、ｘω＝０．３５、ｙω＝０．３３である。色度座標Ｂ１〜Ｂ１３は光源の分光分布データＳ（λ）とカラーフィルタ１４の透過率Ｔ（λ）とから算出された予測色度座標（ｘ，ｙ）を示している。図に示すように、顧客が要求する色度座標Ａを中心として、例えばｘの値が０．３１〜０．３９、ｙの値が０．２９〜０．３７の範囲に含まれる予測色度座標Ｂ１〜Ｂ１３が表示画面上にグラフ化されて表示され、これによって選定結果が視認可能となり、カラーフィルタ１４の選定が容易となる。また、カラーフィルタと各座標とを関連して記憶しておくことで、入力部５が有するマウスなどによって各ポイント（Ｂ１〜Ｂ１３）の座標にカーソルを合わせ、クリックすることによって当該座標に関するカラーフィルタ１４の製品番号、透過率、色度座標、輝度、各種配合添加物及び着色剤の混合比等の各種データを表示するようにしてもよい。これにより、顧客が所望するカラーフィルタ１４を特定し、予め製品として製造されていれば当該カラーフィルタ１４を顧客に出荷し、製造されていなければ前記カラーフィルタに関するデータを参照して製造することが可能となる。また、この表示されるグラフデータをカラーフィルタ選定結果として顧客に対して送受信部７により自動（又は手動）で配信することも可能である。
【００６８】
なお、本実施の形態では、選定結果を上記グラフ化して表示するものに限らず、予測色度情報及び要求色度情報を表示するために好適な方法であればいずれの態様でもよい。また、予測色度情報又は選定されたカラーフィルタのいずれか一方の情報を顧客に対して送信する態様でもよい。
【００６９】
図５は、カラーフィルタ選定支援方法を適用することが可能な機器の概略図である。図に示す機器１５は、基板１５１、光源１５２、導光板１５３、遮光部材１５４及び表示部材１５５で構成される。
【００７０】
機器１５としては、例えばカーオーディオ、メーターパネル等の表示パネルである。
【００７１】
光源１５２は、例えば図２に示す白熱電球１２が使用され、カラーフィルタが被覆される。この光源１５２は基板１５１に取り付けられ、導光板１５３、遮光部材１５４及び表示部材１５５によって覆われる。
【００７２】
光源１５２からの光は、導光板１５３を透過し、表示部材１５５から外部へ放出される。表示部材１５５は、拡散効果を有する拡散剤が添加されており、均一に発光する半透明部材である。ここで機器１５内に用いられる導光板１５３、拡散剤によって光源１５２の光は部分的に吸収される。そのため、従来、表示部材１５５から発する要求透過色情報を得るためには機器１５を分解し、光源１５２にカラーフィルタ１４を被覆させて組み立て直し、表示部材１５５の透過色を測定する必要があった。
【００７３】
しかしながら、本発明であるカラーフィルタ選定支援方法を用いれば、カラーフィルタを被覆させない場合における表示部材１５５から発せられる分光分布データＳ（λ）を入力することで機器１５を分解しなくても容易に透過色を予測することができ、作業効率を向上させることができる。
【００７４】
続いて、この機器１５を用いて本発明による色度・輝度の予測値と、実測した色度・輝度の実測値とに差がないことを検証する。カラーフィルタ１４として朝日ラバー社製カラーフィルタ（Ａ−３００６−Ｇ３０）を使用し、機器１５内の光源１５２を１３．５Ｖで点灯させ、所定距離をおいて発光波長分光放射輝度計（ＰＲ−７０４  Photo  Research社製）で色度・輝度を測定した。まず、機器１５を点灯させ、光源１５２にカラーフィルタ１４を用いない表示部材１５５からの分光分布データＳ（λ）、カラーフィルタの透過率Ｔ（λ）及び等色関数ｘ（λ）、ｙ（λ）、ｚ（λ）を数１〜数３に代入して三刺激値Ｘ，Ｙ，Ｚを求める。さらに三刺激値Ｘ，Ｙ，Ｚを数４、数５に代入して予測色度座標（ｘ，ｙ）を算出した。
【００７５】
表４は、上記計算によって求められた透過色の色度・輝度の予測値と実測値とを示すものである。
【００７６】
【表４】
0004709438.tif 000010
【００７７】
表４に示すように、数１〜数５を用いて算出された予測色度（ｘ、ｙ）と実測色度との差は殆どなく、予測輝度Ｙと実測値の輝度との差も殆どなかった。このことから使用機器等の内部部材を透過して得られる光でも容易に予測可能であり、機器を分解し、光源にカラーフィルタを被覆させて組み立て直し、表示部の透過色を測定する手間を省略することで作業効率が向上し、顧客に対して素早く色合わせ情報を提供することが可能となる。
【００７８】
本実施形態においては、白熱電球１２の発光部１２４は横断面が円形に形成されており、これに対してカラーフィルタ１４は円筒状に形成されているが、白熱電球１２の発光部１２４は横断面が円形のものに限るものではないので、カラーフィルタ１４の形状も発光部１２４の形状に対応して変更することができる。
【００７９】
本実施形態においては、カラーフィルタ１４はシリコーンゴムからなるものであるが、シリコーンゴムに限らず、フッ素ゴム、ＥＤＰＭ（エチレンプロピレンゴム）等の他の合成ゴムや天然ゴムを用いることも可能である。要は、所定の耐熱性を有する弾性高分子材料からなるものであることが好ましい。
【００８０】
本実施形態においては、光源として白熱電球を例示して説明したが、本発明はこれに限らず、例えば、白色ＬＥＤ（発光ダイオード）や蛍光灯、陰極管、蛍光ランプ等の他の光源でも適用可能である。
【００８１】
また、本実施形態におけるカラーフィルタ１４は、ポリカーボネイト、ポリエチレンテレフタレート、アクリル樹脂等の透光性樹脂素材でも適用可能である。
【００８２】
【発明の効果】
請求項１，５，９，１０に記載の発明によれば、現実に光源を入手する必要がないため、迅速にカラーフィルタを選定することができ、分光分布データＳ（λ）及び要求透過色情報が顧客から提示されることで顧客が所望する透過色の色調を満たすカラーフィルタを効率的に選定することができる。
【００８３】
請求項２，６に記載の発明によれば、予測色度座標（ｘ，ｙ）、予測輝度Ｙの２つの情報に関して要求色度座標（ｘω，ｙω）、要求輝度Ｙωとの照合が行われるため、より正確に顧客が所望する透過色を満たすカラーフィルタを選定することができる。
【００８４】
請求項３，７に記載の発明によれば、製造可能な全てのカラーフィルタに対して予め透過率Ｔ（λ）を実測し、データとして記憶しておくことによって、各種類のカラーフィルタの予測透過色情報を算出することができ、顧客が所望する透過色を満たすカラーフィルタを特定することができる。
【００８５】
請求項４，８に記載の発明によれば、カラーフィルタの選定結果が視認可能となり、カラーフィルタの選定結果を容易に確認することができる。また、この表示されるグラフをインターネットなどを介して顧客に送信することによってカラーフィルタの選定結果を容易且つ迅速に報知することができる。
【００８６】
請求項５記載の発明によれば、光源が使用される機器を分解し、光源にカラーフィルタを被覆させて再び組み立て直し、透過色を測定するといった手間を省略することができるため作業効率が向上し、容易且つ迅速にカラーフィルタを選定することができるようになる。
【図面の簡単な説明】
【図１】本発明に係るカラーフィルタ選定支援装置の一実施形態における制御構成を示すブロック図である。
【図２】（ａ）は本支援装置を用いて選定されるカラーフィルタの一例を示す斜視図であり、（ｂ）は本支援装置を用いて選定されるカラーフィルタの一例を示す分解斜視図である。
【図３】図１のカラーフィルタ選定支援装置における動作の一例を示すフローチャートである。
【図４】本実施形態においてカラーフィルタの選定結果として表示部に表示される画面図の一例である。
【図５】カラーフィルタ選定支援方法を適用することが可能な機器の概略図である。
【符号の説明】
１  カラーフィルタ選定支援装置
２  ＣＰＵ
２１  演算部
２２  検索部
２３  作表処理部
２４  データ表示制御部
３  ＲＯＭ
３１  透過率データ記憶部
４  ＲＡＭ
５  表示部
６  入力部
７  送受信部
【図１】
0004709438.tif 000011
【図２】
0004709438.tif 000012
【図３】
0004709438.tif 000013
【図４】
0004709438.tif 000014
【図５】
0004709438.tif 000015